【事件の表示】
　特願２００５−３７２９５９「アイアンソール形状の設計方法とそのためのシステム」拒絶査定不服審判事件〔平成１９年　７月　５日出願公開、特開２００７−１６７５６８〕について、次のとおり審決する。
【結　論】
　本件審判の請求は、成り立たない。
【理　由】
第１　手続の経緯
　本願は、平成１７年１２月２６日の出願であって、原審において平成２３年３月１１日付けで拒絶の理由が通知され、それに対して同年５月１６日に手続補正がなされ、同年７月２２日付けで最後の拒絶の理由（以下「原査定の拒絶の理由」という。）が通知され、それに対して同年９月２６日に意見書が提出され、同年１２月１９日付けで拒絶査定がなされ、それに対して平成２４年３月２６日に拒絶査定不服審判の請求がなされたものである。
　　
第２　本願発明
　本願の請求項４に係る発明（以下「本願発明」という。）は、平成２３年５月１６日付け手続補正によって補正された特許請求の範囲の請求項４に記載された事項によって特定されるとおりの次のものであると認める。
「被験者がアイアンクラブによりボールを打つのを撮影して、アイアンヘッドの軌跡をとらえる高速カメラと、
　とらえられた軌跡を画像処理して、ボールに当たる直前のクラブヘッドの速度であるヘッドスピードと、インパクト時のクラブヘッドの地面に対する入射角と、クラブヘッドがボールに当たる前後におけるヘッド速度の低下を、画像処理によりデータ化するヘッド用演算手段と、
　データ化されたヘッドスピードと、入射角と、ヘッド速度の低下を表示する表示手段と
　を備えたアイアンソール設計システム。」
　　
第３　引用刊行物
１　引用例１
　本願出願前に頒布され、原査定の拒絶の理由において引用された刊行物である、特開２００４−１３５９０８号公報（以下「引用例１」という。）には、次の事項が記載されている。（下線は審決で付した。以下同じ。）
（１）「【００３２】
【発明の実施の形態】
以下に、本発明の実施の形態につき図面を参照して説明する。図１は本発明に係る
ゴルフクラブの性能測定装置を用いた計測システム
【００３３】
図示の例の
計測システムは、ゴルフボール１２をセットするボールセット手段、具体的にはゴルフボール１２を乗せるティー１４と、ボールセット手段１４の飛球線後方に位置し、ボールをヒットしようと振り下ろされたクラブヘッド１６の通過を検知するセンサー手段１８と、１台のインパクトカメラ２２とを備えている
【００３４】
センサー手段１８は、互いに距離ｍ１の間隔（約７０ｍｍ）をおいて、光学式の発光部と受光部よりなる第１センサー１８Ａおよび第２センサー１８Ｂをセットしてある。第２センサー１８Ｂとボールセット手段であるティー１４間の距離ｍ２は４０ｍｍ前後である。
【００３５】
インパクトカメラ２２は、ゴルフボール１２の中心を基準として、ゴルフボール１２に対しインパクトを与えようとゴルファーが立つ位置とはボールの中心２０を含む水平面において反対側に距離ｗ離れ（ｙ方向）、ボールセット位置より飛球線方向（ｘ方向）前方に距離ｍ３離れ、かつ所定高さｈ（ｚ方向）の位置に、
ボールのインパクト状態を計測するために、ボールセット位置に向けてセットされている。インパクトカメラ２２としては、１／１００００〜１／２０００００秒のシャッタースピードを有するＣＣＤカメラが好ましく
（２）「【００３７】
本例の計測システムは、
インパクト後の打球を撮影するために
第１ボール測定カメラ２６および第２ボール測定カメラ２８を
セットしてある
（３）「【００３９】
センサー手段１８、インパクトカメラ２２
、２台のボール測定カメラ２６、２８
は、本発明に係るゴルフクラブの性能測定装置３０に電気的に接続される
ゴルフクラブの性能測定装置３０は、ゴルフボールの運動状態を解析する制御解析部３２と、ゴルフボールの運動状態を表示するモニタ３４とを具備する
（４）「【００４０】
制御解析部３２は次のものを含む
▲１▼コントロールボックス部
次のものを含む。
ａ）カメラ画像記録用フレームメモリー
ｂ）
画像解析ユニット
センサー制御、シャッター制御、Ｉ／Ｏ
ｄ）
ＣＰＵユニット
ｆ）
インパクト画像記録用フレームメモリー
次のものを算出および表示するためのソフトウエアを内蔵する
ａ）フェース角度計算および表示
ｂ）打点（上下、左右）位置計算および表示
ｃ）ボール位置表示および位置修正
ｄ）フェース面上マーク入力および表示
ｅ）基準軸入力およびカメラ方向角計算
ｆ）インパクト撮影タイミング（ディレイタイム）設定
ｇ）
ヘッドスピード値、初速度、打ち出し角（水平線に対する上方向、基準線に対する左右方向）、バックスピン量、サイドスピン量の計測算出および数値表示
ｉ）後述するような画面表示
ｊ）データ値の集積
▲３▼プリンタ」
（５）「【００４４】
次に、図１、２に示すセンサーおよびカメラの配置を参照し、図７に示す作動説明図を用い、本例の計測システムにおける計測方法を説明する。まず、
第１センサー１８Ａ、第２センサー１８Ｂがゴルファーによってスイングされたクラブヘッド１６の通過を検知すると、通過時間ｔ１を計測し、両センサー１８Ａ、１８Ｂ間の距離（ｍ１）との関係よりヘッドスピードが計測される
【００４５】
各カメラによって撮影された映像は、モニタ３４の画面に映し出される
【００４６】次に、モニタ上の映像（図４）から、クラブヘッドのフェース面４４上に現れたマーク４８（の位置）を、映像上から適宜手段（例えばマウス）を用いて測定したり、自動的に測定したりする。そして、この測定結果から、前述した基準長さに基づいてフェース面の延びを算定することができる。ここで、フェース面の延びとは、ゴルフボールの陰に隠れた区域を含むフェース面の広がりをいう。図４上にはマークが８点現れているが、少なくとも３点のマークが測定できれば、フェース面の延びを所定の手段を用いて知ることができる。その結果、先に撮影・記録した基準器６２によるｘ、ｙ、ｚ方向に照らし、フェース面の上下方向および左右方向の傾きを知ることができる。
【００４７】さらに、インパクト時におけるボールの変形していない領域の外周および外周上の適当な位置を、映像上から適宜手段（例えばマウス）を用いて測定したり、自動的に測定したりする。そして、その結果から、前述した基準長さに基づいて実質上変形していないボールの中心に相当する位置を算出し、その位置から前述の算出したフェース面上に垂直線（ボール中心からフェース面への最短距離）を下ろし、その垂直線を下したフェース面上の位置から、ボールに対するフェース面内のインパクト位置を知ることができる。
【００４８】また、
インパクトカメラを複数台設置し、上記インパクト時の映像に加えインパクト直前および／またはインパクト直後の映像を連続して得ることができれば、ヘッドフェース面の推移、すなわちアウトサイド−イン、インサイド−アウト、アッパーブロー、ダウンブロー等のクラブヘッドの動きを知ることができ、次に述べるボール測定カメラで撮影した映像解析によるゴルフボールの運動との因果関係を知ることができる
（６）「【００５０】
ゴルフボールの打ち出し角（水平線に対する上方向）、バックスピン量、サイドスピン量、飛距離の計測については以下のとおりである。図８は、後に詳述する選択ボタン１０４を押してボールを試打したときにモニタ３４に映し出された打球の表示を示す。モニタ画面の第１部分８０Ａに第１ボール測定カメラ２６で側方からとらえた打球、第２部分８０Ｂに第２ボール測定カメラ２８で側方からとらえた打球がそれぞれ映し出され、そして第３部分８０Ｃに計測値が表示される。本システムでは、ゴルフボール１２の表面に印すマークＭの形状を二等辺三角形としてある。また、マークＭの色は、ボール表面の色から際立たせるために、黒色またはそれに類する暗色とする。」
（７）「【００５５】
本例の
ゴルフクラブの性能測定装置３０は、
クラブの性能を主として評価する
（８）上記（６）及び図８から、
モニタ画面の第３部分８０Ｃに、計測値であるヘッドスピードが表示されている
　　
（９）　上記記載事項（１）ないし（８）の記載からみて、引用例１には、以下の発明が記載されているものと認められる。 
「ゴルフボール１２をセットするボールセット手段、具体的にはゴルフボール１２を乗せるティー１４と、ボールセット手段１４の飛球線後方に位置し、ボールをヒットしようと振り下ろされたクラブヘッド１６の通過を検知するセンサー手段１８と、ボールのインパクト状態を計測するために、ボールセット位置に向けてセットされていて、１／１００００〜１／２０００００秒のシャッタースピードを有するＣＣＤカメラであるインパクトカメラ２２とを備え、インパクト後の打球を撮影するために第１ボール測定カメラ２６および第２ボール測定カメラ２８をセットしている計測システムのセンサー手段１８、インパクトカメラ２２、２台のボール測定カメラ２６、２８が電気的に接続され、
　ゴルフボールの運動状態を解析する制御解析部３２と、ゴルフボールの運動状態を表示するモニタ３４とを具備し、クラブの性能を主として評価するゴルフクラブの性能測定装置３０であって、
　制御解析部３２は、画像解析ユニット、ＣＰＵユニット、インパクト画像記録用フレームメモリーを含み、ヘッドスピード値、初速度、打ち出し角（水平線に対する上方向、基準線に対する左右方向）、バックスピン量、サイドスピン量の計測算出および数値表示するためのソフトウエアを内蔵し、
　第１センサー１８Ａ、第２センサー１８Ｂがゴルファーによってスイングされたクラブヘッド１６の通過を検知すると、通過時間ｔ１を計測し、両センサー１８Ａ、１８Ｂ間の距離（ｍ１）との関係よりヘッドスピードを計測し、
　インパクトカメラを複数台設置し、上記インパクト時の映像に加えインパクト直前および／またはインパクト直後の映像を連続して得ることにより、ヘッドフェース面の推移、すなわちアウトサイド−イン、インサイド−アウト、アッパーブロー、ダウンブロー等のクラブヘッドの動きを知ることができ、
　ボール測定カメラで撮影した映像解析によるゴルフボールの運動との因果関係を知ることができ、
　各カメラによって撮影された映像を、モニタ３４の画面に映し出し、
　モニタ画面の第３部分８０Ｃに、計測値であるヘッドスピードを表示する、
ゴルフクラブの性能測定装置３０。」（以下「引用発明１」という。）
　　
２　引用例２
　本願出願前に頒布され、原査定の拒絶の理由において引用された刊行物である、特開２０００−６６３１５号公報（以下「引用例２」という。）には、次の事項が記載されている。（なお丸付き数字は審決で「○１」のように記載した。以下同じ。）
（１）「【０００１】
【発明の属する技術分野】本発明は、ゴルフクラブをスイングしたときのゴルフクラブの挙動を測定するための方法及び装置に関し、さらに詳述すると、セットされた
ゴルフボールをヒットするゴルフクラブのヘッド部分を撮影してクラブヘッドの挙動を測定する方法及び装置
（２）「【０００９】
【発明の実施の形態】以下に、本発明の好適な実施形態につき図面を参照して説明する。図１は、本発明に係るゴルフクラブの挙動測定装置の一実施例を示す概略図、図２は同装置における正面カメラ及び上方カメラ（後述）の配置部分を示す正面図である。」
（３）「【００１７】また、前記両正面カメラ１４，１６、両上方カメラ２０，２２及び後方カメラ３４並びに両センサ２４，２６は、図示していないが、それぞれ制御ユニットに接続されている。この制御ユニットは、次のものを含む。
○１コントロールボックス部
次のものを含む。
ａ）カメラ画像記録用フレームメモリー
ｂ）画像解析ユニット
ｃ）タイミングコントロールユニット
センサー制御、シャッター制御、Ｉ／Ｏ
ｄ）ＣＰＵユニット
ｅ）ＦＤＤ（フロッピーディスクドライブ）、ＨＤＤ（ハードディスクドライブ）又はフラッシュメモリー
○２ソフト部
次のものを算出及び表示するためのソフトを内蔵する。
ａ）
ボールに対するクラブヘッドの進入角度、フェイスの角度、ヘッドスピード、シャフトの水平面に対する角度等の計測算出及び数値表示
・分割画面（ヘッドの３映像画面＋計測値画面）
ｃ）データの集積
○３モニター、プリンター
【００１８】次に、図３及び図４を参照して本装置によるゴルフクラブ挙動の測定を説明する。図３は図１に示した装置の作動説明図である。図３に示すように、第１センサがヘッドの通過を検知すると、トリガー出力が作用し、時間ｔ1経過後に第１正面カメラ及び第１上方カメラのシャッターが切られ、時間ｔ2経過後に第２正面カメラ及び第２上方カメラのシャッターが切られる。後方カメラのシャッターは、第２正面カメラのシャッターと同時に切ることができる。また、第２センサがヘッドの通過を検知すると、コントロールボックスのソフト部において、ヘッドが第１センサと第２センサの間を通過した時間ｔ3が計測されるとともに、両センサ間の距離Ｍ1との関係からヘッドスピードが算出される。なお、例えばヘッドスピードが４０ｍ／ｓのプレイヤーの場合、時間ｔ1は０．１ｍｓ、時間ｔ2は１．８５ｍｓにそれぞれ予め設定しておくこともできる。
【００１９】図４は制御ユニットのモニター部分に映し出されたヘッドの表示を示す。モニター画面４０を４分割し、第１画面４２の左側画面４２Ａに第１正面カメラで側方からとらえた映像、右側画面４２Ｂに第２正面カメラで側方からとらえた映像が映し出されている。また、第２画面４４の右側画面４４Ａに第１上方カメラで上方からとらえた映像、左側画面４４Ｂに第２上方カメラで上方からとらえた映像が映し出されている。さらに、第３画面４６に後方カメラで後方からとらえた映像が映し出されている。したがって、第１画面４２の左側画面４２Ａと右側画面４２Ｂ、第２画面４４の右側画面４４Ａと左側画面４４Ｂをそれぞれ比較することにより、ヘッドの進入角度、フェイスの向き及び変化、フェイスのどの部分で球をとらえたか等を知ることができる。また、第３画面４６により、シャフトのライ角を測定することができる。」
（４）「【００２０】
【発明の効果】以上のように、本発明に係るゴルフクラブの挙動測定方法及び測定装置によれば、
打球の運動に対して因果関係の深いゴルフクラブの挙動を、映像を利用して科学的に測定する
クラブやボールに関する分析等を十分に行う
　　
（５）　上記記載事項（１）ないし（４）の記載からみて、引用例２には、以下の発明が記載されているものと認められる。 
「ボールに対するクラブヘッドの進入角度、フェイスの角度、ヘッドスピード、シャフトの水平面に対する角度等の計測算出及び数値表示を行い、
打球の運動に対して因果関係の深いゴルフクラブの挙動を、映像を利用して科学的に測定して、クラブやボールに関する分析等を十分に行う、
ゴルフボールをヒットするゴルフクラブのヘッド部分を撮影してクラブヘッドの挙動を測定する装置。」（以下「引用発明２」という。）
　　
第４　対比・判断
　本願発明と引用発明１とを対比する。
（１）　引用発明１の「ゴルフボール１２」が本願発明の「ボール」に、以下同様に「ヘッドスピード」が「ヘッドスピード」に、「撮影」が「撮影」に、「インパクトカメラ２２」が「カメラ」に、それぞれ相当している。
（２）　引用発明１の「ゴルファー」は、「クラブヘッド１６」を「スイングして」、その「クラブヘッド１６の通過」を、「第１センサー１８Ａ、第２センサー１８Ｂ」で「検知」させているから、本願発明の「被験者」に相当する。
（３）　引用発明１の「ゴルフクラブの性能測定装置３０」は、「計測システムのセンサー手段１８、インパクトカメラ２２、２台のボール測定カメラ２６、２８が電気的に接続され」ているものであって「システム」ということができ、本願発明の「アイアンソール設計システム」と「システム」の点で共通する。
（４）　引用発明１の「ゴルフクラブ」は本願発明の「アイアンクラブ」と、ともに「クラブ」の点で一致し、また、引用発明１の「クラブヘッド１６」と本願発明の「アイアンヘッド」は、ともに「ヘッド」の点で一致する。
（５）　上記（４）から、引用発明１の「クラブヘッドの動き」は、「ヘッドの軌跡」ということができる。
（６）　引用発明１の「インパクトカメラ２２（カメラ）」は、「１／１００００〜１／２０００００秒のシャッタースピードを有するＣＣＤカメラである」から、「高速カメラ」ということができる。
（７）　引用発明１の「制御解析部３２」は、「画像解析ユニット、ＣＰＵユニット、インパクト画像記録用フレームメモリーを含み、ヘッドスピード値、初速度、打ち出し角（水平線に対する上方向、基準線に対する左右方向）、バックスピン量、サイドスピン量の計測算出および数値表示するためのソフトウエアを内蔵」するから、「とらえられた軌跡を画像処理して、ヘッドスピードを、画像処理によりデータ化する演算手段」ということができる。
（８）　引用発明１の「モニタ３４」は、「計測値であるヘッドスピード」を「表示」するものであるから、「表示手段」ということができ、上記（７）から、本願発明の「表示手段」と、「データ化されたヘッドスピードを表示する」点で一致する。
（９）　引用発明１の「ゴルフクラブの性能測定装置３０（システム）」は、「第１センサー１８Ａ、第２センサー１８Ｂがゴルファーによってスイングされたクラブヘッド１６の通過を検知すると、通過時間ｔ１を計測し、両センサー１８Ａ、１８Ｂ間の距離（ｍ１）との関係よりヘッドスピードを計測し」、「インパクトカメラを複数台設置し、上記インパクト時の映像に加えインパクト直前および／またはインパクト直後の映像を連続して得ることにより、ヘッドフェース面の推移、すなわちアウトサイド−イン、インサイド−アウト、アッパーブロー、ダウンブロー等のクラブヘッドの動きを知ることができ」るものであるから、上記（５）より、「『連続して得』られた『クラブヘッドの動き』」は、本願発明の「とらえられた軌跡」に相当する。
　　
　上記（１）ないし（９）から、本願発明の「アイアンソール設計システム（システム）」と、引用発明１の「ゴルフクラブの性能測定装置３０（システム）」とは、以下の点で一致している。 
「被験者がクラブによりボールを打つのを撮影して、ヘッドの軌跡をとらえる高速カメラと、
　とらえられた軌跡を画像処理して、ヘッドスピードを、画像処理によりデータ化するヘッド用演算手段と、
　データ化されたヘッドスピードを表示する表示手段と
　を備えたシステム。」 
　　
　そして、以下の点で相違している。 
（相違点１）本願発明の「システム」が「アイアンソール設計システム」であるのに対し、引用発明１の「システム」はそのようなものでない点。
（相違点２）本願発明において、「被験者」が「ボールを打つ」クラブが「アイアンクラブ」であるのに対し、引用発明１において「ゴルファー（被験者）」が「ゴルフボール１２（ボールを打つ）」クラブは、そのようには限定されていない点。
（相違点３）本願発明において、「ヘッドスピード」は「ボールに当たる直前のクラブヘッドの速度である」のに対し、引用発明１では、その点が明らかでない点。
（相違点４）本願発明の「ヘッド用演算手段」が、「インパクト時のクラブヘッドの地面に対する入射角と、クラブヘッドがボールに当たる前後におけるヘッド速度の低下を、画像処理によりデータ化する」のに対し、引用発明１に記載のものは、そのようなものでない点。
（相違点５）本願発明の「表示手段」は、「データ化されたヘッドスピードと、入射角と、ヘッド速度の低下を表示する」のに対し、引用発明１の「モニタ３４（表示手段）」は「データ化されたヘッドスピードを表示する」が、「入射角と、ヘッド速度の低下を表示する」か否かについては、定かではない点。
　　
　上記相違点について検討する。 
（相違点１ないし相違点５について）
　引用例２には、下記のとおりの引用発明２が記載されている。
「ボールに対するクラブヘッドの進入角度、フェイスの角度、ヘッドスピード、シャフトの水平面に対する角度等の計測算出及び数値表示を行い、
打球の運動に対して因果関係の深いゴルフクラブの挙動を、映像を利用して科学的に測定して、クラブやボールに関する分析等を十分に行う、
ゴルフボールをヒットするゴルフクラブのヘッド部分を撮影してクラブヘッドの挙動を測定する装置。」（上記第３　２（５）参照。）
　引用発明２は、「打球の運動に対して因果関係の深いゴルフクラブの挙動を、映像を利用して科学的に測定して、クラブやボールに関する分析等を十分に行う」ために、ヘッドスピードに加えて、「ボールに対するクラブヘッドの進入角度、フェイスの角度、シャフトの水平面に対する角度等の計測算出及び数値表示を行」い、「ゴルフボールをヒットするゴルフクラブのヘッド部分を撮影してクラブヘッドの挙動を測定する装置」であるから、ゴルフクラブの性能にとって重要な事項である、「インパクト時のクラブヘッドの地面に対する入射角」を表示するものということができる。
　ここで、ボールに当たる直前のクラブヘッドの速度をヘッドスピードとして用いることは、本願出願前に頒布された刊行物である、特開２００５−１９８８１６号公報（特に段落【００３３】参照。）、本願出願前に頒布された刊行物である、特開２００４−１３５７０６号公報（特に段落【００４９】参照。）、本願出願前に頒布された刊行物である、特開２００４−２７１１９６号公報（特に段落【００６６】参照。）に記載されているとおり、本件出願前に広く知られた技術事項（以下「周知技術事項」という。）にすぎない。
　また、アイアンクラブにおいて「抜け」が重要であって、クラブヘッドがボールに当たる前後におけるヘッド速度が低下しないものが「抜け」がよいクラブとされていることは、本願出願前に頒布され、原査定の拒絶の理由において引用された刊行物である、特開２０００−２７９５６２号公報（特に段落【００１８】，【００１９】参照。）、本願出願前に頒布された刊行物である、特開２０００−１３５３０１号公報（特に段落【０００４】，【０００６】参照。）に記載されているとおり、本件出願前に周知の事項（以下「周知事項」という。）にすぎないものである。
　そして、アイアンクラブのソールの形状にはいろいろな形状があり、そのソール形状の決定が重要であることについては、本願出願前に頒布され、原査定の拒絶の理由において引用された刊行物である、特開平９−２９９５２０号公報（特に段落【０００２】，【０００３】参照。）、本願出願前に頒布され、原査定の拒絶の理由において引用された刊行物である、登録実用新案第３０２２５７９号公報（特に段落【０００３】，【００１０】参照。）、本願出願前に頒布された刊行物である、実願平５−６１９３１号（実開平７−３１０７３号）のＣＤ−ＲＯＭ（特に段落【０００４】参照。）、本願出願前に頒布された刊行物である、特開２０００−１３５３０１号公報（特に段落【０００３】〜【０００６】参照。）、本願出願前に頒布された刊行物である、特表２００１−５２２２９３号公報（特に第５頁７行〜第７頁２０行、第８頁最下行〜第９頁７行、第９頁下から２行〜第１０頁１１行参照。）に記載されているとおり、本件出願前に広く一般に知られた技術常識（以下「技術常識」という。）にすぎない。
　ここで、引用発明１の「ゴルフクラブの性能測定装置３０（システム）」は、ゴルフクラブの性能にとって重要な事項を画像処理によりデータ化して表示するシステムであるから、ヘッドスピードに加えて、同様にゴルフクラブの性能にとって重要な事項である、引用発明２に記載のインパクト時のクラブヘッドの地面に対する入射角と、周知事項であるクラブヘッドがボールに当たる前後におけるヘッド速度の低下を、画像処理によりデータ化して表示することは、当業者が容易になし得たことである。
　また、引用発明１の「ヘッドスピード」として、ボールに当たる直前のクラブヘッドの速度を用いることは、周知技術事項に基づき、当業者が容易になし得たことである。
　そして、引用発明１は、ゴルフクラブを用いるものであって、使用できるクラブとしてアイアンクラブを包含するものであるから、クラブとしてアイアンクラブを用いるようにして、アイアンクラブの性能にとって重要な事項であるアイアンソールの設計に用いるようになした引用発明１のシステムをアイアンソール設計システムと呼ぶことは、当業者が適宜なし得る程度のことである。
　　
　そして、本願発明の作用効果も、引用発明１、引用発明２、周知技術事項、周知事項、及び、技術常識から当業者が予測できる範囲のものである。
　　
　すなわち、本願発明は、引用発明１、引用発明２、周知技術事項、周知事項、及び、技術常識に基づき、当業者が容易に発明をすることができたものと認める。
　　
第５　むすび
　以上のとおり、本願発明は、引用発明１、引用発明２、周知技術事項、周知事項、及び、技術常識に基づき、当業者が容易に発明をすることができたものであるから、特許法第２９条第２項の規定により特許を受けることができない。
　　
　よって、結論のとおり審決する。